(57)【特許請求の範囲】
【請求項１】
係止部と、該係止部と接続されており、挟持構造を載置部材に接続するためのアダプター部とを含む挟持構造であって、
該係止部は、該アダプター部に対する角度を調整するように該アダプター部に回動可能に接続されており、該挟持構造は、該係止部と該アダプター部との間に設けられるダンピング部材をさらに含み、該ダンピング部材は、該係止部の該アダプター部に対する回動時の回動抵抗を提供し、該係止部を回動している外力がなくなった場合に、該回動抵抗は、該係止部を該アダプター部に対する任意の角度に保持させることが可能であり、
該アダプター部が接続部材を含み、該アダプター部は該接続部材により該載置部材に接続されており、
該係止部は、
第１クランプ部材と、該第１クランプ部材と回動接続される第２クランプ部材とを含み、該第２クランプ部材は該アダプター部に接続されており、
該第１クランプ部材は、
下部ケースと、前記第２クランプ部材と回動接続されるピン接続部と、該下部ケース及び該ピン接続部に接続されるガイド部材とを含み、
該ガイド部材は、該下部ケースの該ピン接続部に対する運動にガイドを提供する、ことを特徴とする挟持構造。
【請求項２】
該第１クランプ部材は引張ばねを含み、
該ガイド部材にはガイド溝が開設されており、該引張ばねは一端が該下部ケースに接続されており、他端が該ガイド溝を貫通し、該ピン接続部に接続されている、ことを特徴とする請求項１に記載の挟持構造。
【請求項３】
該第１クランプ部材は、
該下部ケースに固定接続される底板と、
該底板に回動可能に接続されており、物体を挟持するための挟持部材とを、
さらに含む、ことを特徴とする請求項２に記載の挟持構造。
【請求項４】
該挟持部材は弾性材料からなる、ことを特徴とする請求項３に記載の挟持構造。
【請求項５】
該第１クランプ部材は、一端が該挟持部材に回動可能に接続されており、他端が該底板に回動可能に接続されている接続アームをさらに含む、ことを特徴とする請求項３に記載の挟持構造。
【請求項６】
該底板には第１収容溝が開設されており、該接続アームは、該挟持部材を、該底板に対して回動させ、該第１収容溝に部分的に収容可能であるように駆動する、ことを特徴とする請求項５に記載の挟持構造。
【請求項７】
該挟持部材には収容溝が開設されており、該物体を該挟持部材で挟持している時に、該物体の角部は該収容溝に部分的に収容され、該物体が振動を受けた時に該挟持構造から滑落するのを避ける、ことを特徴とする請求項５に記載の挟持構造。
【請求項８】
該接続アームの数及び該挟持部材の数は２つである、ことを特徴とする請求項７に記載の挟持構造。
【請求項９】
該接続アームは伸縮ロッドである、ことを特徴とする請求項５に記載の挟持構造。
【請求項１０】
該挟持構造は、該底板に固定接続される載置板及び第１弾性部材をさらに含み、該第１弾性部材は該載置板に設けられており、該物体と該載置板との接触を緩和するためのものである、ことを特徴とする請求項３に記載の挟持構造。
【請求項１１】
該第１弾性部材は該載置板から突出している、ことを特徴とする請求項１０に記載の挟持構造。
【請求項１２】
該ガイド部材には位置制限ブロックが設けられており、該底板にはストップブロックが設けられており、該位置制限ブロックは該ストップブロックと当接保持されることにより、該ガイド部材の運動ストロークを限定する、ことを特徴とする請求項３に記載の挟持構造。
【請求項１３】
該第２クランプ部材は第１接続体を含み、
該アダプター部は、載置体に固定接続されるカートリッジを含み、該接続部材は、ダンピング部材と、該第１接続体と、該載置部材に接続される該カートリッジとを貫通する、ことを特徴とする請求項１〜１２のいずれか一項に記載の挟持構造。
【請求項１４】
該ダンピング部材の数は２つであり、２つの該ダンピング部材のうちの１つは、該第１接続体と該載置体との間に位置しており、該第１接続体の一側及び該載置体に当接保持されており、
２つの該ダンピング部材のうちのもう一つは、該第１接続体の他側に当接保持されている、ことを特徴とする請求項１３に記載の挟持構造。
【請求項１５】
該カートリッジは、該載置部材に接続されるクランプ部を含む、ことを特徴とする請求項１３に記載の挟持構造。
【請求項１６】
該クランプ部は、該カートリッジの一端面に該カートリッジの円周方向に沿って並べて設けられる複数の歯車の歯を含む、ことを特徴とする請求項１５に記載の挟持構造。
【請求項１７】
該第２クランプ部材は、該第１接続体に固定接続されている接続部をさらに含み、
該アダプター部は、該接続部及び該第１接続体に設けられており、物体を挟持するための第２弾性体をさらに含む、ことを特徴とする請求項１３に記載の挟持構造。
【請求項１８】
該接続部には収容部が開設されており、該接続部材は該収容部内に部分的に収容されている、ことを特徴とする請求項１７に記載の挟持構造。
【請求項１９】
該アダプター部は、リテイニングリング及びナットをさらに含み、該接続部材は該ナット及び該リテイニングリングを貫通し、該リテイニングリングは該ナットと該第１接続体との間に位置しており、該ナットのガタつきを防止するためのものである、ことを特徴とする請求項１３に記載の挟持構造。
【請求項２０】
該載置体は、
本体と、
該本体に接続されており、該ダンピング部材、該第１接続体、インナリング孔が開設されている該リテイニングリング及び該ナットを順に貫通する光軸とを含み、
該光軸は、
該インナリング孔と合わせることにより、該リテイニングリングが該光軸周りに回動するのを制限する合わせ面を含む、ことを特徴とする請求項１９に記載の挟持構造。
【請求項２１】
該接続部材は、
該光軸及び該本体を順に貫通し、該カートリッジに部分的に収容されるねじ軸を含む、ことを特徴とする請求項２０に記載の挟持構造。
【請求項２２】
該インナリング孔は非円形の孔である、ことを特徴とする請求項２０に記載の挟持構造。
【請求項２３】
ボディーを含む曇台であって、
該曇台は、該ボディーに回動可能に接続されている請求項１〜２２のいずれか一項に記載の挟持構造を含み、
前記アダプター部は前記接続部材により該ボディーに接続されている、ことを特徴とする曇台。
【請求項２４】
該曇台は、
撮影装置を載置するためのものであって、該ボディーと回動可能に接続されて該撮影装置を前記ボディーに対して所定の角度回転させるように制御可能な実行機構をさらに含む、ことを特徴とする請求項２３に記載の曇台。
【請求項２５】
該曇台は、
該ボディーに設けられており、モードボタン及び回転ボタンを含む制御システムをさらに含み、
該モードボタンは該実行機構を動作モード又は非動作モードにさせるように制御しており、
該実行機構が動作モードにある場合に、該回転ボタンは、該実行機構が該撮影装置を該ボディーに対して所定の角度回転させるように制御可能である、ことを特徴とする請求項２４に記載の曇台。
【請求項２６】
該所定の角度は６６０°である、ことを特徴とする請求項２５に記載の曇台。
【請求項２７】
前記第１クランプ部材は、
底板と、該底板と回動可能に接続されている接続アームと、該接続アームと接続される挟持部材とを含み、
該底板には第１収容溝が開設されており、該挟持構造が使用されていない場合に、該挟持部材は、該接続アームにより該底板に対して回動させることによって、該第１収容溝に収容されている、ことを特徴とする請求項１に記載の挟持構造。
【請求項２８】
該接続アームは伸縮ロッドである、ことを特徴とする請求項２７に記載の挟持構造。
【請求項２９】
該接続アームは一端が該挟持部材と回動可能に接続されている、ことを特徴とする請求項２７に記載の挟持構造。
【請求項３０】
該挟持構造は、該底板に固定接続される載置板及び第１弾性部材をさらに含み、該第１弾性部材は該載置板に固定されており、物体が受ける支持力を緩和するためのものである、ことを特徴とする請求項２７に記載の挟持構造。
【請求項３１】
該第１弾性部材は載置体から突出している、ことを特徴とする請求項３０に記載の挟持構造。
【請求項３２】
該挟持部材には収容溝が開設されており、物体を該挟持構造で挟持している時に、該物体の角部は該収容溝に部分的に収容され、該物体が振動を受けた時に該挟持構造から滑落するのを避ける、ことを特徴とする請求項２７〜３１のいずれか一項に記載の挟持構造。
【請求項３３】
請求項１に記載の挟持構造を含む曇台であって、
前記第１クランプ部材は、
底板と、該底板と回動可能に接続されている接続アームと、該底板と回動可能に接続されている接続アームと、該接続アームと接続される挟持部材とを含み、
該底板には第１収容溝が設けられており、該挟持構造が使用されていない場合に、該挟持部材は、該接続アームにより該底板に対して回動させることによって、該第１収容溝に収容されている、ことを特徴とする曇台。
【請求項３４】
該接続アームは伸縮ロッドである、ことを特徴とする請求項３３に記載の曇台。
【請求項３５】
該接続アームは、一端が該挟持部材と回動可能に接続されている、ことを特徴とする請求項３３に記載の曇台。
【請求項３６】
該挟持構造は、該底板に固定接続される載置板及び第１弾性部材をさらに含み、該第１弾性部材は該載置板に固定されており、物体が受ける支持力を緩和するためのものである、ことを特徴とする請求項３３に記載の曇台。
【請求項３７】
該第１弾性部材は載置体から突出している、ことを特徴とする請求項３６に記載の曇台。
【請求項３８】
該挟持部材には収容溝が開設されており、物体を該挟持構造で挟持している時に、該物体の角部は該収容溝に部分的に収容され、該物体が振動を受けた時に該挟持構造から滑落するのを避ける、ことを特徴とする請求項３３〜３７のいずれか一項に記載の曇台。
【請求項３９】
該曇台は、
撮影装置を載置するためのものであって、ボディーと回動可能に接続されて該撮影装置を前記ボディーに対して所定の角度回転させるように制御可能な実行機構をさらに含む、ことを特徴とする請求項３３〜３８のいずれか一項に記載の曇台。
【請求項４０】
該曇台は、
該ボディーに設けられており、モードボタン及び回転ボタンを含む制御システムをさらに含み、
該モードボタンは、該実行機構を動作モード又は非動作モードにさせるように制御し、
該実行機構が動作モードにある場合に、該回転ボタンは、該実行機構が該撮影装置を該ボディーに対して所定の角度回転させるように制御可能である、ことを特徴とする請求項３９に記載の曇台。
【発明の詳細な説明】
【技術分野】
【０００１】
本発明は撮影機器の分野に関し、特に、挟持構造及び該挟持構造を有する曇台に関する。
【背景技術】
【０００２】
日常の生活では、携帯電話のホルダは、殆ど携帯電話の両側を挟持しており、この場合、携帯電話が軽微な振動を受けると、携帯電話のホルダから外れ易い。また、挟持装備にも携帯電話の４つの側面を挟持する携帯電話ホルダがあるが、該携帯電話のホルダは携帯電話の角度を調整する場合に、該携帯電話のホルダに接続される物体を操作する必要があり、操作は不便である。
【０００３】
このことに鑑み、角度を便利に調整する挟持構造及び該挟持構造を有する曇台を提供する必要がある。
【発明の概要】
【課題を解決するための手段】
【０００４】
係止部と、該係止部と接続されており、挟持構造を載置部材に接続させるためのアダプター部とを含む挟持構造である。該係止部は、該アダプター部に対する角度を調整するように該アダプター部と回動可能に接続されており、該挟持構造は、該係止部と該アダプター部との間に設けられるダンピング部材をさらに含み、該ダンピング部材は、該係止部の該アダプター部に対する回動時の回動抵抗を提供し、該係止部を回動している外力がなくなった場合に、該回動抵抗は、該係止部を該アダプター部に対する任意の角度に保持させることが可能であり、該アダプター部は接続部材を含み、該アダプター部は該接続部材により該載置部材に接続されている。
【０００５】
さらに、該係止部は、第１クランプ部材と、該第１クランプ部材と回動接続される第２クランプ部材とを含み、該第２クランプ部材は該アダプター部に接続されている。
【０００６】
さらに、該第１クランプ部材は、下部ケースと、該下部ケースに接続されるピン接続部と、該下部ケース及び該ピン接続部に接続されるガイド部材とを含み、該ガイド部材は、該下部ケースの該ピン接続部に対して運動するためのガイドを提供する。
【０００７】
さらに、該第１クランプ部材は引張ばねを含み、該ガイド部材にはガイド溝が開設されており、該引張ばねは、一端が該下部ケースに接続されており、他端が該ガイド溝を貫通し、該ピン接続部に接続されている。
【０００８】
さらに、該第１クランプ部材は、該下部ケースに固定接続される底板と、該底板に回動可能に接続されており、物体を挟持するための挟持部材と、をさらに含む。
【０００９】
さらに、該挟持部材は弾性材料からなる。
【００１０】
さらに、該第１クランプ部材は、一端が該挟持部材に回動可能に接続されており、他端が該底板に回動可能に接続されている接続アームをさらに含む。
【００１１】
さらに、該底板には第１収容溝が開設されており、該接続アームは、該挟持部材を該底板に対して回動させ、該第１収容溝に部分的に収容可能になるように駆動する。
【００１２】
さらに、該挟持部材には収容溝が開設されており、該物体を該挟持部材で挟持している時には、該物体の角部は該収容溝に部分的に収容され、該物体が振動を受けた時に該挟持構造から滑落するのを避ける。
【００１３】
さらに、該接続アームの数及び該挟持部材の数は２つである。
【００１４】
さらに、該接続アームは伸縮ロッドである。
【００１５】
さらに、該挟持構造は、該底板に固定接続される載置板及び第１弾性部材をさらに含み、該第１弾性部材は該載置板に設けられており、該物体と該載置板との接触を緩和するためのものである。
【００１６】
さらに、該第１弾性部材は該載置板から突出している。
【００１７】
さらに、該ガイド部材には位置制限ブロックが設けられており、該底板にはストップブロックが設けられており、該位置制限ブロックは該ストップブロックと当接保持されることにより、該ガイド部材の運動ストロークを限定する。
【００１８】
さらに、該第２クランプ部材は第１接続体を含み、該アダプター部は、該載置体に固定接続されるカートリッジを含み、該接続部材は、ダンピング部材と、該第１接続体と、該載置部材に接続される該カートリッジとを貫通する。
【００１９】
さらに、該ダンピング部材の数は２つであり、２つの該ダンピング部材のうちの１つは、該第１接続体と該載置体との間に位置しており、該第１接続体の一側及び該載置体に当接保持されており、２つの該ダンピング部材のうちのもう一つは、該第１接続体の他側に当接保持されている。
【００２０】
さらに、該カートリッジは、該載置部材に接続されるクランプ部を含む。
【００２１】
さらに、該クランプ部は、該カートリッジの一端面に該カートリッジの円周方向に沿って並べて設けられる複数の歯車の歯を含む。
【００２２】
さらに、該第２クランプ部材は、該第１接続体に固定接続される接続部をさらに含み、該アダプター部は、該接続部及び該第１接続体に設けられており、物体を挟持するための第２弾性体をさらに含む。
【００２３】
さらに、該接続部には収容部が開設されており、該接続部材は該収容部内に部分的に収容されている。
【００２４】
さらに、該アダプター部はリテイニングリング及びナットをさらに含み、該接続部材は、該ナットと、該ナットと該第１接続体との間に位置しており、該ナットのガタつきを防止するための該リテイニングリングと、を貫通する。
【００２５】
さらに、該載置体は、本体と、該本体に接続されており、該ダンピング部材と、該第１接続体と、インナリング孔が開設されている該リテイニングリングと、該ナットとを順に貫通する光軸とを含み、該光軸は、該インナリング孔と合わせることにより、該リテイニングリングが該光軸周りに回動するのを制限する合わせ面を含む。
【００２６】
さらに、該接続部材は、該光軸及び該本体を順に貫通し、該カートリッジに部分的に収容されるねじ軸を含む。
【００２７】
さらに、該インナリング孔は非円形の孔である。
【００２８】
ボディーを含む曇台である。該曇台は、上述のような挟持構造をさらに含み、該ボディーは載置部材であり、該挟持構造は該ボディーに回動可能に接続される。
【００２９】
さらに、該挟持構造で挟持されている物体が角度を変更する必要がある場合に、該挟持構造は、２つの該ダンピング部材が該係止部に提供した、該アダプター部に対する回動抵抗に抗することにより、該挟持構造が回動状態になり、該挟持構造は該ボディーに対して任意の角度に回動可能になる。
【００３０】
さらに、該挟持構造で挟持されている物体が所要の角度に回転した後、該係止部を回動している外力がなくなった場合に、該回動抵抗により、該係止部を該アダプター部に対する任意の角度に保持させることが可能であり、該挟持構造がロック状態にある。
【００３１】
底板と、該底板と回動可能に接続されている接続アームと、接続アームと接続される挟持部材とを含む挟持構造である。該底板には第１収容溝が開設されており、該挟持構造が使用されていない場合に、該挟持部材は、該接続アームにより該底板に対して回動させることによって、該第１収容溝に収容されている。
【００３２】
さらに、該接続アームは伸縮ロッドである。
【００３３】
さらに、該接続アームは一端が該挟持部材と回動可能に接続されている。
【００３４】
さらに、該挟持構造は、該底板に固定接続される載置板及び第１弾性部材をさらに含み、該第１弾性部材は該載置板に固定されており、該物体が受ける支持力を緩和するためのものである。
【００３５】
さらに、該第１弾性部材は該載置体から突出している。
【００３６】
さらに、該挟持部材には収容溝が開設されており、該物体を該挟持構造で挟持している時に、該物体の角部は該収容溝に部分的に収容され、該物体が振動を受けた時に該挟持構造から滑落するのを避ける。
【００３７】
さらに、該曇台は、撮影装置を載置するためのものであって、該ボディーと回動可能に接続される実行機構をさらに含む。
【００３８】
さらに、該曇台は、該ボディーに設けられており、モードボタン及び回転ボタンを含む制御システムをさらに含み、該モードボタンは、該実行機構を動作モード又は非動作モードにさせるように制御し、該実行機構が動作モードにある場合に、該回転ボタンは、該実行機構が該撮影装置を該ボディーに対して所定の角度回転させるように制御可能である。
【００３９】
さらに、該所定の角度は６６０°である。
【００４０】
本発明の挟持構造及び該挟持構造を有する曇台を用いると、該係止部は、該アダプター部に対する角度を調整するように該アダプター部と回動可能に接続されており、該挟持構造は、該係止部と該アダプター部との間に設けられるダンピング部材をさらに含み、該ダンピング部材は、該係止部の該アダプター部に対する回動時の回動抵抗を提供し、該係止部を回動している外力がなくなった場合に、該回動抵抗により、該係止部を該アダプター部に対する任意の角度に保持させることが可能である。該挟持構造で挟持されている物体の角度の調整を該挟持構造の回動により実現することができ、操作が簡単、便利である。
【図面の簡単な説明】
【００４１】
【図１】本発明の第１実施形態の挟持構造の分解模式図である。
【図２】図１における挟持構造の平面模式図である。
【図３】図２における挟持構造のIII-III方向に沿う断面模式図である。
【図４】本発明の第２実施形態が提供する曇台の構造模式図である。
【図５】図４における曇台の挟持構造が使用状態にある模式図である。
【図６】図４における曇台の挟持構造が未使用状態にある模式図である。
【図７】本発明の第３実施形態が提供する挟持構造の分解模式図である。
【図８】図７における挟持構造の平面模式図である。
【図９】図８における挟持構造のIX-IX方向に沿う断面模式図である。
【図１０】本発明の第４実施形態が提供する曇台の構造模式図である。
【００４２】
具体的な実施形態について上述の添付図面を参照して、以下に本発明をさらに説明する。
【発明を実施するための形態】
【００４３】
本発明の幾つの実施形態について添付図面を参照して、以下に詳細に説明する。衝突しない場合は、以下の実施例及び実施例における特徴を相互に組み合わせることができる。
【００４４】
図１〜図３を参照すると、本発明の第１実施形態が提供する挟持構造１００は、係止部１０と、該係止部１０と接続されるアダプター部３０と、該係止部１０と該アダプター部３０との間に設けられるダンピング部材３０５とを含む。
【００４５】
該係止部１０は、第１クランプ部材１０ａと、該第１クランプ部材１０ａと回動接続される第２クランプ部材１０ｂとを含む。該第１クランプ部材１０ａは、下部ケース１、引張ばね２、ガイド部材３、底板４、接続アーム５、挟持部材６、第１弾性部材７、載置板８及びピン接続部９を含む。
【００４６】
該下部ケース１は、第１端１ａと、該第１端１ａと対向する第２端１ｂとを含む。該下部ケース１には、２つの対向して設けられる第１側面１１１を含む第１グルーブ１１が開設されている。該下部ケース１は、該底板４と接続するための接続ブロック１１２をさらに含む。本実施形態では、該接続ブロック１１２の数は２つであり、２つの該接続ブロック１１２は、それぞれ、２つの該第１側面１１１の該第１端１ａに近い位置に固定されている。該接続ブロック１１２毎に第１ねじ穴１１３が開設されており、該第１ねじ穴１１３の中心軸が該第１側面１１１とほぼ平行となる。該第１グルーブ１１の底面には第２グルーブ１２が開設されており、該第１グルーブ１１は該第２グルーブ１２と共に、該引張ばね２の一部及び該ガイド部材３を収容するためのものである。該下部ケース１は、該第２グルーブ１２の底面の該第２端１ｂに近い位置に固定される第１接続ポスト１３をさらに含む。該第１接続ポスト１３には第２ねじ穴１３１が開設されている。
【００４７】
該引張ばね２は、一端が該下部ケース１の第１接続ポスト１３に接続されており、他端が該ピン接続部９に接続されている。該引張ばね２は、該第１接続ポスト１３に嵌設され、該引張ばね２を該下部ケース１に接続させる第１接続端２１と、該第１接続端２１と対向する第２接続端２２とを含む。
【００４８】
該ガイド部材３は該下部ケース１及び該ピン接続部９に接続されており、該下部ケース１の該ピン接続部９に対して運動する時のガイドを提供するためのものである。該ガイド部材３には、該引張ばね２の一部を収容すると共に、該引張ばね２の運動にガイドするためのガイド溝３１が開設されている。該ガイド部材３には、該ガイド溝３１と連通する第１逃げ溝３２と、第３ねじ穴３３とがさらに開設されている。該ガイド部材３は、該第３ねじ穴３３を介して、該ピン接続部９に接続されている。本実施形態では、該第３ねじ穴３３の数は２つであり、２つの該第３ねじ穴３３は、それぞれ該第１逃げ溝３２の両側に位置しているが、その他の実施形態では、該第３ねじ穴３３の数は実際の必要に応じて増加又は減少することができると理解される。該ガイド部材３は、該底板４と合わせて、該引張ばね２及び該ガイド部材３を位置制限する位置制限ブロック３４を含む。本実施形態では、該位置制限ブロック３４の数は２つであり、２つの該位置制限ブロック３４はそれぞれ該ガイド溝３１の両側に位置しているが、その他の実施形態では、該位置制限ブロック３４の数は実際の必要に応じて増加又は減少することができると理解される。
【００４９】
該底板４は該下部ケース１及び該載置板８に接続されており、該下部ケース１と該載置板８との間に位置する。該底板４は該載置板８に固定接続される第１表面４１を含む。該底板４には、該第１表面４１と、該底板４の該第１表面４１に垂直な表面とを貫通する第１収容溝４２が開設されている。該第１収容溝４２は、該接続アーム５と、該挟持部材６の一部とを収容するためのものである。本実施形態では、該第１収容溝４２の数は２つであり、２つの該第１収容溝４２はそれぞれ該底板４の対向する両側に位置する。該第１収容溝４２は該第１表面４１と平行となる第１底面４２１を含む。該底板４は、該接続アーム５と合わせて、該底板４を該接続アーム５と回動接続させる第２接続ポスト４３をさらに含む。該第２接続ポスト４３には第４ねじ穴４３１が開設されており、該底板４は該第４ねじ穴４３１を介して、該載置板８と固定接続されている。
【００５０】
本実施形態では、該第２接続ポスト４３の数は２つであり、２つの該第２接続ポスト４３はそれぞれ２つの該第１収容溝４２の第１底面４２１に固定されているが、その他の実施形態では、該第２接続ポスト４３の数は実際の必要に応じて増加又は減少することができると理解される。該底板４には第５ねじ穴４４及び第１スルーホール４５がさらに開設されており、該第５ねじ穴４４及び該第１スルーホール４５は何れも該第１表面４１を貫通している。本実施形態では、該第５ねじ穴４４の数及び該第１スルーホール４５の数は何れも３つである。該底板４は第１ねじ４６と、第２ねじ４７と、該底板４の該第１表面４１と反対する表面に固定されるストップブロック４８とをさらに含む。本実施形態では、該第１ねじ４６の数は３つであり、３つの該第１ねじ４６はそれぞれ３つの該第１スルーホール４５を貫通し、該下部ケース１の第２ねじ穴１３１及び２つの該第１ねじ穴１１３と螺接されており、該第２ねじ４７の数は３つであり、３つの該第２ねじ４７はそれぞれ該載置板８を貫通し、３つの該第５ねじ穴４４と螺接されており、該載置板８を該底板４に固定接続させている。本実施形態では、該ストップブロック４８の数は２つであり、２つの該ストップブロック４８は、該ガイド部材３の運動ストロークを限定するようにそれぞれ２つの該位置制限ブロック３４と当接保持されている。
【００５１】
該接続アーム５は、一端が該底板４に回動可能に接続されており、他端が該挟持部材６に回動可能に接続されている。該接続アーム５は、第２表面５１と、該第２表面５１と反対する第３表面５２とを含む。該接続アーム５には、該第３表面５２を貫通しており、該挟持部材６の一部を収容するための第２逃げ溝５３がさらに開設されている。該接続アーム５は一端には第１段付き孔５４が開設されており、他端には第１軸孔５５が開設されている。該第２接続ポスト４３は、該第１段付き孔５４内に部分的に収容され、該接続アーム５を該底板４と回動接続させている。該第１軸孔５５は該第２逃げ溝５３と連通している。該接続アーム５は、該第１軸孔５５に部分的に収容されている接続軸５６をさらに含む。本実施形態では、該接続アーム５は該接続軸５６により、該挟持部材６と回動接続されており、該接続アーム５の数は２つであり、該接続アーム５は固定長さであるが、その他の実施形態では、該接続アーム５は伸縮ロッドであってもよく、実際の応用に適応するようにその長さを変更させることができると理解される。
【００５２】
該挟持部材６は該接続アーム５に回動可能に接続されており、ほぼ凹字状とされている。該挟持部材６は、物体（図示せず）を載置するための載置台６１を含む。該載置台６１には、該接続アーム５の一部を収容するための第２収容溝６２が開設されている。該挟持部材６は、該載置台６１の一端に固定されており、該載置台６１に交わる第２側面６３１を含む挟持板６３をさらに含む。該挟持板６３には、該第２側面６３１を貫通しており、該物体の角を収容するための収容溝６４が開設されている。本実施形態では、該挟持部材６の数は２つであり、２つの該挟持部材６はそれぞれ２つの該接続アーム５と回動接続されており、該第２側面６３１、及び該載置台６１の該物体を載置する表面には何れも弾性層が被覆されているが、その他の実施形態では、該挟持部材６は弾性材料からなるものであってもよいと理解される。
【００５３】
該第１弾性部材７は該載置板８に設けられており、該物体と該載置板８との接触を緩和し、該物体が該載置板８により傷付けられるのを防止するためのものである。該第１弾性部材７は第１弾性シート７１及び第２弾性シート７２を含む。本実施形態では、該第１弾性シート７１及び該第２弾性シート７２は分別構造であるが、その他の実施形態では、該第１弾性シート７１及び該第２弾性シート７２は一体型構造であってもよいと理解される。
【００５４】
該載置板８は該底板４に接続されており、第４表面８１を含む。該載置板８には第３収容溝８２及び第４収容溝８３がさらに開設されており、該第３収容溝８２及び該第４収容溝８３はそれぞれ該載置板８の両端に位置する。該第３収容溝８２は該第４表面８１を貫通しており、該第２弾性シート７２の一部を収容するためのものである。該第４収容溝８３は該第４表面８１を貫通しており、該第１弾性シート７１の一部を収容するためのものである。該載置板８には、該第１ねじ４６の一部を収容するための第２スルーホール８４と、第６ねじ穴８５とがさらに開設されている。該第６ねじ穴８５は該第２ねじ４７の一部を収容するためのものである。本実施形態では、該第２スルーホール８４の数及び該第６ねじ穴８５の数は何れも３つであり、３つの該第２スルーホール８４及び３つの該第６ねじ穴８５は、それぞれ該第３収容溝８２の底面及び該第４収容溝８３の底面を貫通する。該載置板８には、該第４収容溝８３の底面を貫通する第１貫通溝８６がさらに開設されている。該載置板８はダンピング部材８７、第１パッド８８及び第３ねじ８９をさらに含む。該第３ねじ８９は該第１パッド８８、該ダンピング部材８７及び該第１貫通溝８６を順に貫通し、該底板４の第４ねじ穴４３１内に螺入されて、該載置板８を該底板４に固定接続させている。本実施形態では、該第１貫通溝８６の数、該ダンピング部材８７の数、該第１パッド８８の数及び該第３ねじ８９の数は何れも２つである。
【００５５】
該ピン接続部９は第３側面９１を含む。該ピン接続部９には該第３側面９１を貫通する第５収容溝９１１が開設されており、該第５収容溝９１１は該引張ばね２の一部及び該ガイド部材３の一部を収容するためのものである。該ピン接続部９には該第５収容溝９１１と連通する第２段付き孔９２が開設されている。該ピン接続部９は第１ピン９４をさらに含む。本実施形態では、該第１ピン９４の数及び該第２段付き孔９２の数は何れも３つであり、３つの該第１ピン９４のうちの１つは、１つの対応する該第２段付き孔９２を貫通し、該引張ばね２の第２接続端２２に収容されており、３つの該第１ピン９４のうちの残りの２つはそれぞれ対応する２つの該第２段付き孔９２を貫通し、該ガイド部材３の２つの第３ねじ穴３３と螺接され、該ピン接続部９を該引張ばね２及び該ガイド部材３に接続させている。
【００５６】
該ピン接続部９の、該第５収容溝９１１が位置する端とは反対する一端には第１ピン孔９３が開設されている。該ピン接続部９は第２ピン９５、第２パッド９６、第３パッド９７及び第３ピン９８をさらに含み、該第２ピン９５は該第２パッド９６を貫通し、該第１ピン孔９３の一端に部分的に収容されており、該第３ピン９８は該第３パッド９７を貫通し、該第１ピン孔９３の他端に部分的に収容されている。
【００５７】
該引張ばね２は該ガイド部材３のガイド溝３１を貫通し、該第１接続端２１は該下部ケース１の第１接続ポスト１３に嵌め込まれており、３つの該第１ピン９４のうちの一つは、１つの対応する該第２段付き孔９２を貫通し、該第２接続端２２に収容されており、該引張ばね２を該下部ケース１及び該ピン接続部９に接続させており、３つの該第１ピン９４のうちの残りの２つはそれぞれ対応する２つの該第２段付き孔９２を貫通し、２つの該第３ねじ穴３３と螺接されており、該ガイド部材３を該ピン接続部９に接続させている。
【００５８】
２つの該接続アーム５の第１段付き孔５４はそれぞれ該底板４の２つの該第２接続ポスト４３に嵌設されており、２つの該接続アーム５を該底板４に回動接続させている。２つの該接続アーム５の第１軸孔５５が位置する一端は、それぞれ２つの該挟持部材６の第２収容溝６２に収容されており、２つの該接続アーム５はそれぞれ２つの該接続軸５６により、２つの該挟持部材６と回動接続されている。３つの該第１ねじ４６はそれぞれ該載置板８の３つの第２スルーホール８４、該底板４の３つの第１スルーホール４５を貫通し、該下部ケース１の第２ねじ穴１３１及び２つの該第１ねじ穴１１３と螺接されており、該底板４を該下部ケース１に固定させている。２つの該第３ねじ８９はそれぞれ２つの該第１パッド８８、２つの該ダンピング部材８７、該載置板８の２つの該第１貫通溝８６を貫通し、該底板４の２つの第４ねじ穴４３１と螺接されており、３つの該第２ねじ４７はそれぞれ該載置板８の３つの第６ねじ穴８５を貫通し、該底板４の３つの第５ねじ穴４４と螺接されており、該載置板８を該底板４に固定接続させている。該第１弾性部材７の第１弾性シート７１は該第４収容溝８３に設けられており、該第２弾性シート７２は該第３収容溝８２に設けられており、該第１弾性シート７１及び該第２弾性シート７２は該第４表面８１から突出している。
【００５９】
該第２クランプ部材１０ｂは接続部３０１、第１接続体３０６及び第２弾性部材３０７を含む。該接続部３０１は該ピン接続部９と回動接続されており、接続面３０１１を含む。該接続部３０１には接続溝３０１２が開設されている。該接続溝３０１２は該接続面３０１１と、該接続部３０１の該接続面３０１１に垂直な表面とを貫通し、該ピン接続部９の一部を収容するためのものである。該接続部３０１には第１接続孔３０１３及び第２接続孔３０１４が開設されており、該第１接続孔３０１３の中心軸と該第２接続孔３０１４の中心軸とがほぼ重なり合う。本実施形態では、該第１接続孔３０１３及び該第２接続孔３０１４は何れも該接続溝３０１２と連通されている。
【００６０】
該接続部３０１には、該接続面３０１１を貫通する第１収納溝３０１５がさらに開設されている。本実施形態では、該第１収納溝３０１５は該第２弾性部材３０７の一部を収容するためのものであり、該第１収納溝３０１５の数は２つであり、２つの該第１収納溝３０１５は間隔をおいて設けられている。該接続部３０１には、２つの該第１収納溝３０１５の間に位置しており、該接続部材３０２の一部を収容するための収容部３０１６がさらに開設されている。
【００６１】
該第１接続体３０６は２つの該挟持部材６と共に、該物体を挟持するためのものであり、固定面３０６１を含む。該第１接続体３０６には該固定面３０６１を貫通する合わせ孔３０６２が開設されており、該合わせ孔３０６２は該接続部材３０２の一部のねじ軸３０２２を収容するためのものである。該第１接続体３０６には該固定面３０６１を貫通する第３収納溝３０６３が開設されており、該第３収納溝３０６３は該第２弾性部材３０７の一部を収容するためのものである。
【００６２】
該第２ピン９５は該第２パッド９６及び該第２接続孔３０１４を貫通し、該ピン接続部９の第１ピン孔９３の一端に螺入されており、該第３ピン９８は該第３パッド９７及び該第１接続孔３０１３を貫通し、該ピン接続部９の第１ピン孔９３の他端に螺入されており、該ピン接続部９を該接続部３０１に回動接続させており、該第１クランプ部材１０ａは該第２クランプ部材１０ｂの第２接続孔３０１４の中心軸周りに回動することができる。該ピン接続部９は該接続部３０１の接続溝３０１２に部分的に収容されている。
【００６３】
該アダプター部３０は載置部材（図示せず）に回動可能に接続されており、接続部材３０２、ナット３０３、リテイニングリング３０４、載置体３０８及びカートリッジ３０９を含む。該アダプター部３０は該接続部材３０２により該載置部材に接続されており、該接続部材３０２及び該載置部材はねじ又は係合により接続されうる。
【００６４】
該接続部材３０２は該載置部材と螺接されており、ノブ３０２１と、該ノブ３０２１に接続されているねじ軸３０２２とを含む。該ノブ３０２１には、該ナット３０３の一部を収容するための第２収納溝３０２３が開設されている。該ねじ軸３０２２は一端が該第２収納溝３０２３の底面に固定されており、他端が該ナット３０３、該リテイニングリング３０４、該ダンピング部材３０５、該第１接続体３０６、該載置体３０８及び該カートリッジ３０９を貫通し、該載置部材に螺接されている。本実施形態では、該ダンピング部材３０５はダンピングリングであるが、その他の実施形態では、該ダンピング部材３０５はその他の形式のダンピング素子であってもよいと理解される。
【００６５】
該リテイニングリング３０４は該ナット３０３と該ダンピング部材３０５との間に位置しており、該ナット３０３のガタつきを防止するためのものである。該リテイニングリング３０４には、非円形の孔であるインナリング孔３０４１が開設されている。該ダンピング部材３０５は、該係止部１０の該アダプター部３０に対して回動する時の回動抵抗を提供するためのものであり、該係止部１０を回動している外力がなくなった場合に、該回動抵抗により、該係止部１０を該アダプター部３０に対する任意の位置に保持させている。本実施形態では、該ダンピング部材３０５の数は２つであり、２つの該ダンピング部材３０５はそれぞれ該第１接続体３０６の両側に位置しており、２つの該ダンピング部材３０５のうちの１つは、該第１接続体３０６及び該載置体３０８に当接保持されており、もう一つの該ダンピング部材３０５は該リテイニングリング３０４と該第１接続体３０６との間に位置しており、該第１接続体３０６に当接保持されているが、その他の実施形態では、該ダンピング部材３０５の数は実際の必要に応じて増加又は減少することができると理解される。
【００６６】
該載置体３０８は１つの該ダンピング部材３０５を貫通し、該第１接続体３０６に接続されており、本体３０８１と、該本体３０８１に接続される光軸３０８２とを含む。該光軸３０８２は非円柱体であり、合わせ面３０８３を含み、該合わせ面３０８３は該インナリング孔３０４１と合わせることにより、該リテイニングリング３０４が該光軸３０８２周りに回動するのを制限する。
【００６７】
本実施形態では、該合わせ面３０８３は平面であり、該合わせ面３０８３の数は２つであり、２つの該合わせ面３０８３は反対して設けられている。該載置体３０８には第３スルーホール３０８４が開設されている。該第３スルーホール３０８４は該本体３０８１及び該光軸３０８２を貫通しており、該接続部材３０２のねじ軸３０２２を貫通しさせるためのものである。該載置体３０８には、第４収納溝３０８５がさらに開設されており、該光軸３０８２が第４収納溝３０８５の底面に固定されている。
【００６８】
該カートリッジ３０９が該載置体３０８に固定接続されており、それには貫通孔３０９１が開設されている。該貫通孔３０９１は該接続部材３０２のねじ軸３０２２を貫通しさせる。該カートリッジ３０９は、該載置部材に接続されるクランプ部３０９２をさらに含む。本実施形態では、該クランプ部３０９２は、該カートリッジ３０９の一端面に該カートリッジ３０９の円周方向に沿って並べて設けられる複数の歯車の歯（図示せず）を含んでいるが、その他の実施形態では、該クランプ部３０９２はその他の構造であってもよく、例えば該クランプ部３０９２は間隔をおいて設けられる複数の突起により構成されてもよいと理解される。
【００６９】
組み立てられる場合に、該カートリッジ３０９は該載置体３０８上に固定される。該載置体３０８の光軸３０８２は１つの該ダンピング部材３０５、該第１接続体３０６、１つの該ダンピング部材３０５、該リテイニングリング３０４及び該ナット３０３を順に貫通し、該光軸３０８２を２つの該ダンピング部材３０５、該第１接続体３０６、該リテイニングリング３０４及び該ナット３０３に接続させている。該接続部材３０２のねじ軸３０２２は該載置体３０８の第３スルーホール３０８４を貫通し、該載置部材と螺接されている。該ナット３０３は該接続部材３０２の第２収納溝３０２３内に部分的に収容されており、該接続部材３０２は該ナット３０３と螺接されていない。該リテイニングリング３０４は対応する該ダンピング部材３０５により該第１接続体３０６の一側に当接保持されている。該載置体３０８は対応する該ダンピング部材３０５を該第１接続体３０６の他側に当接保持している。２つの該合わせ面３０８３は該インナリング孔３０４１と合わせることにより、該リテイニングリング３０４が該光軸３０８２周りに回動するのを制限し、さらに、該ナット３０３のガタつきを防止する。
【００７０】
該接続部３０１は該第１接続体３０６に固定されており、該接続部材３０２のノブ３０２１は該接続部３０１の収容部３０１６内に部分的に収容されている。該第２弾性部材３０７は２つの該第１収納溝３０１５及び該第３収納溝３０６３内に部分的に収容されており、該第２弾性部材３０７は該接続部３０１及び該第１接続体３０６に接続されている。該光軸３０８２の中心軸は該第２接続孔３０１４の中心軸に対して相互に垂直となる。その他の実施形態では、該ダンピング部材３０５は該係止部１０に設けられてもよいと理解される。
【００７１】
図４を参照すると、本発明の第２実施形態が提供する曇台２００は、ボディー２０１と、該ボディー２０１に接続される上述のような挟持構造１００とを含み、該ボディー２０１は上述の載置部材である。該挟持構造１００の接続部材３０２のねじ軸３０２２は該ボディー２０１と螺接されている。該ボディー２０１は係合部２０１１を含み、該係合部２０１１は該挟持構造１００のカートリッジ３０９のクランプ部３０９２と当接保持されることにより、該カートリッジ３０９を該ボディー２０１に接続させている。本実施形態では、該係合部２０１１はディスク歯である。
【００７２】
図５を参照すると、該曇台２００が物体（図示せず）を挟持している際に、該物体は一端が該挟持構造１００の第２弾性部材３０７に当接保持されている。該物体が該第２弾性部材３０７上に当接保持される一端と、それと反対する他端との間の距離に基づき、該係止部１０を引っ張ることにより該第２弾性部材３０７と該挟持部材６との距離を調整し、該引張ばね２は弾性変形し、該下部ケース１、該引張ばね２、該底板４、該接続アーム５、該挟持部材６、該第１弾性部材７及び該載置板８は該ガイド部材３のガイド溝３１の長手方向に沿って該第２弾性部材３０７から漸次に離間しつつ、２つの該挟持部材６はそれぞれ該底板４の２つの第２接続ポスト４３周りに回動し、２つの該挟持部材６及び該第２弾性部材３０７の共に該物体を挟持させている。該物体は一端の２つの角部がそれぞれ２つの該挟持部材６の収容溝６４に収容されており、該物体が振動を受けた時に該挟持構造１００から滑落するのを避ける。
【００７３】
該物体が角度を変更する必要がある場合に、外力を該挟持構造１００に加えることにより、２つの該ダンピング部材３０５が該係止部１０に提供した、該載置体３０８の光軸３０８２周りに該ボディー２０１に対して回動する時の回動抵抗に抗して、該挟持構造１００は回動状態になり、該係止部１０は該アダプター部３０に対して任意の角度に回動することができる。該物体は所要の角度に回転した後、該外力がなくなった場合に、該挟持構造１００はロック状態にあり、該回動抵抗によって、該係止部１０を該ボディー２０１に対する任意の角度に保持させている。
【００７４】
該物体が該挟持構造１００から取り外される必要がある場合に、該係止部１０は該ボディー２０１から離間する方向に沿ってスライドし、該ボディー２０１から離間させ、該物体を該挟持構造１００から取り出す。該係止部１０は該引張ばね２の弾性力の作用下で元の位置に復帰する。
【００７５】
図６を参照すると、該曇台２００は非使用状態にある場合に、２つの該挟持部材６は該底板４の第２接続ポスト４３周りに該下部ケース１へ回動し、２つの該挟持部材６及び２つの該接続アーム５をそれぞれ該下部ケース１の２つの第１収容溝４２に部分的に収容させている。該係止部１０は該アダプター部３０に対して該ボディー２０１へ回動し、該係止部１０を該ボディー２０１に近づけ、該ボディー２０１は該係止部１０と対向しており、該曇台２００の格納がしやすくなる。
【００７６】
図７〜図９を参照すると、本発明の第３実施形態が提供する挟持構造３００によれば、該挟持構造３００は、本発明の第１実施形態が提供する挟持構造１００とほぼ同一であり、差異点は、該挟持構造３００に２つの該ダンピング部材３０５を省略し、該挟持構造３００のアダプター部４０に該ナット３０３、該リテイニングリング３０４及び該載置体３０８を省略することにある。該アダプター部４０は弾性体４０１、クランプスプリング４０２及び当接保持部材４０３をさらに含む。該当接保持部材４０３には収容孔４０３１が開設されている。
【００７７】
該係止部１０は該アダプター部４０に接続されている。該弾性体４０１は該接続部材３０２のねじ軸３０２２に嵌め込まれており、該接続部材３０２のねじ軸３０２２は該第１接続体３０６の合わせ孔３０６２、該当接保持部材４０３の収容孔４０３１及び該カートリッジ３０９の貫通孔３０９１を貫通する。該弾性体４０１は一端が該接続部材３０２の第２収納溝３０２３の底面に接続されており、他端が該当接保持部材４０３の該第１接続体３０６と対向する表面に接続されている。該クランプスプリング４０２は該ねじ軸３０２２に設けられており、該カートリッジ３０９は、該カートリッジ３０９が該ねじ軸３０２２の軸方向に沿って移動するのを防止するための該クランプスプリング４０２と当接保持されている。該接続部３０１は該第１接続体３０６に固定接続されており、該接続部材３０２は接続部３０１の収容部３０１６内に部分的に収容されている。該第２弾性部材３０７は該接続部３０１及び該第１接続体３０６に接続されている。
【００７８】
図１０を参照すると、本発明の第４実施形態が提供する曇台４００によれば、該曇台４００は、本発明の第２実施形態が提供する曇台２００とほぼ同一であり、差異点は、該曇台４００に該挟持構造１００を省略し、該曇台４００が挟持構造３００をさらに含むことにある。該挟持構造３００の接続部材３０２のねじ軸３０２２は該ボディー２０１と螺接されている。該カートリッジ３０９は、該アダプター部４０の該ボディー２０１に対するガタつきを制限するように、該ボディー２０１に係止されてもよい。該曇台４００のボディー２０１の係合部２０１１は該挟持構造３００のカートリッジ３０９のクランプ部３０９２と当接保持される又は離れることにより、該挟持構造３００をロック状態又は回動可能な状態にさせ、該挟持構造３００の回動又は該挟持構造３００を何れかのストップ位置に限定することを実現する。
【００７９】
該挟持構造３００で挟持されている物体が角度を変更する必要がある場合に、該弾性体４０１は外力作用下で弾性変形し、該カートリッジ３０９は可動状態になり、該ボディー２０１から離間する方向に沿ってスライドすることにより、該ボディー２０１から離脱し、該挟持構造３００は回動状態にあり、該挟持構造３００は該ボディー２０１に対して任意の角度に回転することができる。該物体が所要の角度に回転した後、該外力がなくなった場合に、該弾性体４０１は変形を復帰し、該カートリッジ３０９は該当接保持部材４０３により該弾性体４０１の弾性力の作用下で元の位置に復帰し、ロック状態にあり、該カートリッジ３０９のクランプ部３０９２は該ボディー２０１の係合部２０１１当接保持されており、該挟持構造３００を該ボディー２０１に対する任意の角度に保持させ、該挟持構造３００はロック状態にある。
【００８０】
本発明が提供する曇台は、実行機構２０２をさらに含む。該実行機構２０２は、例えばカメラ、撮像機のような撮影装置を載置するためのものである。該ボディー２０１は該実行機構２０２と回動可能に接続されている。該曇台は、該ボディー２０１に設けられる制御システム２０３をさらに含む。該制御システム２０３はモードボタン２０３１及び回転ボタン２０３２を含む。該モードボタン２０３１は、該曇台の該実行機構２０２のモード、例えば動作モード、非動作モードを制御するためのものである。該実行機構２０２は動作モードにある場合に、該回転ボタン２０３２は、該実行機構２０２が該撮影装置を該ボディー２０１に対して所定の角度回転させるように制御可能である。本実施形態では、該所定の角度は６６０°である。
【００８１】
本発明の挟持構造及び該挟持構造を有する曇台を用いると、該係止部は、該アダプター部に対する角度を調整するように該アダプター部に回動可能に接続されており、該挟持構造は、該係止部と該アダプター部との間に設けられているダンピング部材をさらに含み、該ダンピング部材は、該係止部の該アダプター部に対して回動する時の回動抵抗を提供し、該係止部を回動している外力がなくなった場合に、該回動抵抗により、該係止部を該アダプター部に対する任意の角度に保持させることが可能である。該挟持構造で挟持されている物体の角度の調整を該挟持構造の回動により実現することができ、操作が簡単、便利である。
【００８２】
また、以上の実施形態が本発明を説明するためのものに過ぎず、本発明を限定するためのものではなく、本発明の実質的な趣旨を逸脱しない限り、以上の実施例に対し行われる適宜な変更及び変化は何れも本発明の保護要求する範囲内にあることを、当業者は認識すべきである。
【符号の説明】
【００８３】
挟持構造 １００、３００
係止部 １０
第１クランプ部材 １０ａ
第２クランプ部材 １０ｂ
下部ケース １
第１端 １ａ
第２端 １ｂ
第１グルーブ １１
第１側面 １１１
接続ブロック １１２
第１ねじ穴 １１３
第２グルーブ １２
第１接続ポスト １３
第２ねじ穴 １３１
引張ばね ２
第１接続端 ２１
第２接続端 ２２
ガイド部材 ３
ガイド溝 ３１
第１逃げ溝 ３２
第３ねじ穴 ３３
位置制限ブロック ３４
底板 ４
第１表面 ４１
第１収容溝 ４２
第１底面 ４２１
第２接続ポスト ４３
第４ねじ穴 ４３１
第５ねじ穴 ４４
第１スルーホール ４５
第１ねじ ４６
第２ねじ ４７
ストップブロック ４８
接続アーム ５
第２表面 ５１
第３表面 ５２
第２逃げ溝 ５３
第１段付き孔 ５４
第１軸孔 ５５
接続軸 ５６
挟持部材 ６
載置台 ６１
第２収容溝 ６２
挟持板 ６３
第２側面 ６３１
収容溝 ６４
第１弾性部材 ７
第１弾性シート ７１
第２弾性シート ７２
載置板 ８
第４表面 ８１
第３収容溝 ８２
第４収容溝 ８３
第２スルーホール ８４
第６ねじ穴 ８５
第１貫通溝 ８６
ダンピング部材 ８７
第１パッド ８８
第３ねじ ８９
ピン接続部 ９
第３側面 ９１
第５収容溝 ９１１
第２段付き孔 ９２
第１ピン孔 ９３
第１ピン ９４
第２ピン ９５
第２パッド ９６
第３パッド ９７
第３ピン ９８
アダプター部 ３０、４０
接続部 ３０１
接続面 ３０１１
接続溝 ３０１２
第１接続孔 ３０１３
第２接続孔 ３０１４
第１収納溝 ３０１５
収容部 ３０１６
接続部材 ３０２
ノブ ３０２１
ねじ軸 ３０２２
第２収納溝 ３０２３
ナット ３０３
リテイニングリング ３０４
インナリング孔 ３０４１
ダンピング部材 ３０５
第１接続体 ３０６
固定面 ３０６１
合わせ孔 ３０６２
第３収納溝 ３０６３
第２弾性部材 ３０７
載置体 ３０８
本体 ３０８１
光軸 ３０８２
合わせ面 ３０８３
第３スルーホール ３０８４
第４収納溝 ３０８５
カートリッジ ３０９
貫通孔 ３０９１
クランプ部 ３０９２
弾性体 ４０１
クランプスプリング ４０２
当接部材 ４０３
収容孔 ４０３１
曇台 ２００、４００
ボディー ２０１
係合部 ２０１１
実行機構 ２０２
制御システム ２０３
モードボタン ２０３１
回転ボタン ２０３２
【図１】
0006639643.tif 000002
【図２】
0006639643.tif 000003
【図３】
0006639643.tif 000004
【図４】
0006639643.tif 000005
【図５】
0006639643.tif 000006
【図６】
0006639643.tif 000007
【図７】
0006639643.tif 000008
【図８】
0006639643.tif 000009
【図９】
0006639643.tif 000010
【図１０】
0006639643.tif 000011